(57)【要約】      （修正有）【課題】空になった使用済みのフレコンバックを錆や汚れを付着させることなく収容可能な、耐候性及び取り扱いの便宜に優れたフレコンバックの収容容器を提供する。【解決手段】平面視方形のパレットの周縁に防蝕処理が施された鋼製の側枠を立設状態に取り付けてパレット上に物品収容空間を形成し、この物品収容空間に面する側枠の内側の面全体に合成樹脂製の網状体３を一体に取り付けて、収容されたフレコンバックに側枠の錆や汚れが付着することを防止する。【選択図】図１
2013169982.tif 000002
【特許請求の範囲】
【請求項１】
平面視方形の底部材の周縁に防蝕処理が施された鋼製の側枠を立設状態に取り付けて、底部材上に前記側枠で囲われた物品収容空間を形成してなる収容容器であって、側枠の前記物品収容空間に面する部分に、合成樹脂製の網状体が一体に取り付けられてなる構成を有することを特徴とするフレコンバックの収容容器。
【請求項２】
左右縦桟材の上下端部間に上桟材と下桟材をそれぞれ一体に取り付けることにより前記各桟材で周辺が方形に縁取られてなる側枠、又は左右縦桟材の上端部間に上桟材を一体に取り付けることにより前記各桟材で周辺が略コ字形に縁取られてなる側枠が底部材の周縁に取り付けられた構成を有することを特徴とする請求項１に記載のフレコンバックの収容容器。
【請求項３】
底部材がパレットにより構成された請求項１又は２に記載のフレコンバックの収容容器。
【請求項４】
側枠の上面に底部材の下部を支持する受け部材が設けられ、下段の容器の前記受け部材に上段の容器の底部材の下部を載せて支持することにより、容器同士が上下に積み重ね可能に構成された請求項１〜３の何れかに記載のフレコンバックの収容容器。
【請求項５】
フレコンバックに充填された内容物の処理場に請求項１〜４の何れかに記載の収容容器を設置し、当該処理場で内容物を排出させて空となったフレコンバックを前記収容容器に収容し、その後、フレコンバックが収容された前記収容容器をトラックに積載してフレコンバックの洗浄処理又はリサイクル処理場所に搬送することにより使用済みフレコンバックを回収するフレコンバックの回収方法。
【発明の詳細な説明】
【技術分野】
【０００１】
本発明は、使用済みのフレキシブルコンテナバック（以下、フレコンバックという）を収容するのに好適な収容容器と、この容器を用いて使用済みのフレコンバックを回収する方法に関する。
【背景技術】
【０００２】
飼料や粒状の化学材料、或いは土砂などの粉体や粒状物を大量に梱包し、これを輸送したり保管したりするための包材として、ポリエチレンやポリプロピレンなどの化学繊維で袋状に織られたフレコンバックが利用されている。
【０００３】
原料や材料の輸送に用いるフレコンバックは、出荷工場における内容物の充填、受入工場への搬送、受入工場における内容物の排出、空になったフレコンバックの回収、バック内部の洗浄及び出荷工場への返送の各工程を経て繰り返し使用される。
この場合、前記フレコンバックの回収は、通常、例えば図９に示されるような鉄製の篭形パレットなどからなる専用の回収ボックスを受入工場の敷地内に設置しておき、この回収ボックスに内容物を排出した空のフレコンバックを丸めたり畳んだりして詰め込んで一旦保管し、その後、フレコンバックのメンテンス事業者が受入工場に出向き、フレコンバックが満載された前記回収ボックスを引き取ることにより行われ、回収されたフレコンバックは、メンテンス事業者において洗浄し乾燥させた後、出荷工場へと納入される（例えば特許文献１、２参照）。
【先行技術文献】
【特許文献】
【０００４】
【特許文献１】特開２００４−２４４０６７号公報
【特許文献２】特開２０１１−２１９１０９号公報
【発明の概要】
【発明が解決しようとする課題】
【０００５】
一般にメンテナンス事業者はフレコンバックを効率的に回収するため、受入工場において空のフレコンバックがある程度の数溜まったときに回収に出向くようにしており、その間、受入工場では空のフレコンバックを回収ボックスに順次詰め込み、フレコンバックが満載された回収ボックスは当該受入工場の屋外の資材置き場などに多段に積み重ねて置くなどして、屋外に放置された状態で保管されることが多い。
【０００６】
そのため、フレコンバックを詰め込んだ回収ボックスは太陽光や風雨に曝されて回収ボックスの鋼材部分に錆が発生し、この錆や汚れが収容されたフレコンバックの表面に付着して汚染され易いという問題があった。
フレコンバックに付着した錆や汚れは、織物であるフレコンバックの布地の繊維間の隙間に染み込んで除去し難く、付着した錆や汚れにより出荷工場でフレコンバックに充填される内容物が汚染される事態を生じ兼ねず、また、錆や汚れが付着したままではフレコンバックをリサイクル処理することができない。
【０００７】
本発明は従来技術の有するこのような問題点に鑑み、空になった使用済みのフレコンバックの収容容器において、フレコンバックを満載した状態で屋外に設置しても、錆や汚れがフレコンバックに付着し難く、耐候性及び取り扱いの便宜に優れたフレコンバックの収容容器を構成することを課題とする。
【課題を解決するための手段】
【０００８】
前記課題を解決するため本発明のフレコンバックの収容容器は、平面視方形の底部材の周縁に防蝕処理が施された鋼製の側枠を立設状態に取り付けて、底部材上に前記側枠で囲われた物品収容空間を形成してなる収容容器であって、側枠の前記物品収容空間に面する部分に合成樹脂製の網状体が一体に取り付けられてなる構成を有することを特徴とする。
本発明のフレコンバックの収容容器によれば、底部材上に区画された物品収容空間に面する側枠の内側部分に合成樹脂製の網状体を一体に取り付けて構成されているので、物品収容空間はその周囲が網状体で仕切られ、当該網状体で容器内部に積み重ねて収容されるフレコンバックを囲って底部材上に保持することができる。
側枠の内側の面に合成樹脂製の網状体を一体に取り付けて、容器内周面が網状体で覆われるように設けてあるので、容器に収容されたフレコンバックは網状体に接して側枠の鋼材部分に直に接触する部分の面積は極めて小さくなり、仮に側枠が部分的に錆付いていたり汚れていたりしていてもフレコンバックに付着し難く、保管中のフレコンバックが汚染することを防止することができる。
【０００９】
前記構成の収容容器において、左右縦桟材の上下端部間に上桟材と下桟材をそれぞれ一体に取り付けることにより前記各桟材で周辺が方形に縁取られてなる側枠、又は左右縦桟材の上端部間に上桟材を一体に取り付けることにより前記各桟材で周辺が略コ字形に縁取られてなる側枠を、底部材の周縁に取り付けて構成することが好ましい。網状体は、前記側枠の左縦桟材と右縦桟材の上下端部間の空間部を覆うように、つまり側枠の内側表面を覆うようにして取り付けられる。
上記構成の側枠は、その内側の表面全体が一体に取り付けた網状体により構成されているので錆が発生し難く、また、前記従来の篭形パレットなどと比較して容器を構成する鋼材の使用量が少ないので容器を軽量に構成することができる。また、側枠は鋼製の枠部材に網状体を取り付けて形成されるので作製コストがかからず、側枠の一部が破損した場合は網状体を交換することで容易に修理することが可能である。
【００１０】
前記構成の収容容器において、フレコンバックを収容した容器をフォークリフトなどで簡便に運搬できるように、底部材は金属製や合成樹脂製のパレットにより構成されていることが好ましい。
また、側枠の上面に底部材の下部を支持する受け部材を設け、下段の容器の前記受け部材に上段の容器の底部材の下部を載せて支持することにより、容器同士が上下に積み重ね可能に構成されていることが好ましい。
【００１１】
側枠を含んで、収容容器を構成する鋼材に施す防錆処理は、例えば防錆剤の塗装や各種メッキによる被膜処理などにより行うことができる。
合成樹脂製の網状体は、例えばポリプロピレン（ＰＰ）、ポリエチレン（ＰＥ）、ポリ塩化ビニル（ＰＶＣ）、ポリエチレンテレフタレート（ＰＥＴ）などの合成樹脂を材料として、連続成形により適宜な厚み及び大きさで格子網状に成形された形態のものを用いることができる。繊維材料を網状に編み上げた構成のものは、繊維の隙間に雨水が滞留して排水性に劣るため、前記連続成形により成形される形態のものが好ましい。
また、網状体はその耐候性を高めるため、前記合成樹脂材料に紫外線吸収剤と光安定剤（ＨＡＬＳ）を含有し、さらに強度向上のためカーボン顔料などが練り込まれていることが好ましく、或いは成形された網状体の表面にアクリル系樹脂による被膜処理を施してもよい。
【００１２】
前記構成の収容容器を用いたフレコンバックの回収は、フレコンバックに充填された内容物の処理場に本発明の収容容器を設置しておき、当該処理場で内容物を排出させて空となったフレコンバックを前記収容容器に収容し、その後、フレコンバックが収容された前記収容容器をトラックに積載してフレコンバックの洗浄処理又はリサイクル処理場所に搬送することにより行われ、これによりフレコンバックを収容した容器を屋外で保管していても、フレコンバックに錆や汚れが付着することはなく、収容容器に満載したフレコンバックを効率的に回収することが可能である。
【図面の簡単な説明】
【００１３】
【図１】本発明の一実施形態の収容容器の外観図である。
【図２】図１の収容容器を構成する容器本体の外観図である。
【図３】図２のボックスパレットを構成する側枠の内面外観図である。
【図４】側枠に取り付けられる網状体の一例の要部外観図である。
【図５】網状体の他の例の要部外観図である。
【図６】網状体が取り付けられた側枠の要部外観図である。
【図７】網状体が取り付けられた側枠の横断面図である。
【図８】（Ａ）、（Ｂ）はそれぞれ側枠の他の構成例の内面外観図である。
【図９】フレコンバックの回収に用いられる従来の容器の外観図である。
【発明を実施するための形態】
【００１４】
以下、本発明の好適な実施形態を、図面を参照して説明する。
図１は、本発明のフレコンバックの収容容器の一実施形態の外観を示しており、この収容容器１は、当該容器の底部材である平面視方形のパレット２１の周辺縁部に側枠２２、２３を立設状態に取り付けてパレット２１上に側枠２２、２３で囲われた物品収容空間を形成してなるボックスパレット２の内周側面に、合成樹脂製の網状体３を一体に取り付けて構成してある。
【００１５】
詳しくは、ボックスパレット２は、図２に示されるように、防蝕処理が施された鋼管により組み立てられたパレット２１及び側枠２２、２３からなり、パレット２１はその上面に排水用の通孔が多数形成されてなる合成樹脂製のマット２４が敷かれて物品積載面を形成し、フォークリフトやハンドリフトの爪が差し込まれる開口２１ａを有する周側面の角部に、後述する側枠２２の脚部２２ｇが嵌合する筒体２１ｂを一体に設けて形成してある。同図に示されるように、パレット２１の周囲四側辺の内の三辺に側枠２２が取り付けられ、他の一辺に側枠２３が取り付けてある。
【００１６】
側枠２２は、図３に示されるように、左右縦桟材２２ａ、２２ｂの上下端部をそれぞれ上桟材２２ｃと下桟材２２ｄで連結して各桟材で周辺が方形に縁取られてなるとともに、これら各桟材を上下桟材２２ｃ、２２ｄ間に配置された複数の縦桟材２２ｅと左右縦桟材２２ａ、２２ｂ間に配置された横桟材２２ｆとで一体に連結して形成してある。側枠２２の左右縦桟材２２ａ、２２ｂの下端部には、前記パレット２の筒体２１ｂに内嵌合する脚部２２ｇを突設してある。
側枠２３は、図２に示されるように、それぞれ左右縦桟材と上下桟材とで横長矩形状に縁取られてなる上枠部２３ａと下枠部２３ｂからなり、下枠部２３ｂの上桟材に上枠部２３ａの下桟材をヒンジ連結して形成してある。
各側枠２２は各々脚部２２ｇを前記各筒体２１ｂに内嵌合してパレット２１の縁部に立設させて取り付けられ、一方、側枠２３はその上下枠部２３ａ、２３ｂの両側端部を、前記パレット２に立設させた対向位置の側枠２２、２２の側端部にそれぞれ連結して、パレット２の縁部に立設状態に取り付けられるようになっている。
また、収容容器１同士を上下に積み重ね可能なように、前記対向位置の側枠２２、２２の上桟材２２ｃの上面には、パレット２の下部を支持する受け部材２２ｈが設けてある。
【００１７】
前記側枠２３に取り付けられる網状体３は、図４に示されるように、３０ｍｍ〜４０ｍｍ四方の開口３１を縦横に列設して格子状或いは網状に形成された適宜な幅及び厚みの連続成形品が用いられる。
【００１８】
網状体３は、収容容器２が屋外に設置しての使用が多いことから、高剛性で耐候性、耐水性、施工性などが優れたものが好ましく、これらの特性を備えた合成樹脂製の網状体として、カーボン顔料などの充填剤を配合したポリエチレンやポリプロピレンなどのポリオレフィンから孔開きシートを作製し、これを一軸又は二軸に延伸して製造される網状体、例えば商品名「テンサー」（登録商標）の使用が好適である。図５に示される一軸延伸タイプの網状体３を用いてもよい。
【００１９】
本形態のフレコンバックの収納容器１は、図６及び図７に示されるように、網状体３を側枠２２の上桟材２２ｃと下桟材２２ｄの間の空間部分全体を覆うように配置して側枠２２の内側表面に覆い重ね、その周辺部を結束バンドなどの連結部材を用いて側枠２２の周辺の各桟材に留め付けて側枠２２の内側の面に一体に取り付け、網状体３が取り付けられた側枠２２と側枠２３とをパレット２１の縁部に立設状態に取り付けることにより構成される。
側枠２３とともにパレット２１に側枠２２を取り付けた後、側枠２２の内側の面に網状体３を取り付けるようにしてもよい。
【００２０】
なお、図１に示された収容容器１は、パレット２１の周囲三辺に立設した側枠２２に網状体３が取り付けられ、側枠２３には取り付けられていないが、側枠２３にも網状体３を取り付けて、各側枠２２、２３によりパレット２上に区画される物品収容空間の周囲が網状体３で囲われるように構成することがより好ましい。
また、図３に示された側枠２２に代えて、例えば図８に示される側枠２２をパレット２２の周囲四側辺の縁部に取り付けて収容容器１を構成してもよい。
同図（Ａ）の側枠２２は、左右縦桟材２２ａ、２２ｂの上下端部間に上桟材２２ｃと下桟材２２ｄをそれぞれ一体に取り付けて各桟材で周辺を方形に縁取り、その内側の面に網状体３を取り付けたもの、同図（Ｂ）の側枠２２は、左右縦桟材２２ａ、２２ｂの上端部間に上桟材２２ｃを一体に取り付けて各桟材で周辺を略コ字形に縁取り、その内側の面に網状体３を取り付けたものである。何れも図３に示された側枠２２よりも軽量で錆を発生し難いものに構成することができる。
【００２１】
このように構成される本形態の収納容器１は、フレコンバックに充填された内容物の処理場、例えば前記の如く原料や材料の輸送にフレコンバックを用いる場合には受入工場の敷地内に設置され、内容物が排出されて空となった使用済みのフレコンバックを収容し、一時的に保管するための容器として使用される。
使用済みのフレコンバックは、丸めたり畳まれたりして収納容器１のパレット２１上に順次積み重ねて収容されるが、収納容器１の内周面である側枠２２の内側の面に合成樹脂製の網状体３が一体に取り付けてあるので、収容されたフレコンバックは網状体３に接して側枠２２の鋼材部分に直に接触する部分の面積が極めて小さく、仮に側枠２２の一部が錆付いていたとしても、側枠２２の錆や汚れはフレコンバックに付着し難く、保管中のフレコンバックが汚染されることはない。
また、収納容器１は、網状体３で側枠２２の内側の面全体が覆われるように設けてあるので、収納容器１全体で鋼材の使用量が少なく且つ使用鋼材には防錆処理がなされているので、軽量で運搬などの取り扱いの便宜に優れるとともに、耐候性に優れて屋外に設置しても錆が発生し難く、フレコンバックが詰め込まれた収納容器１同士を屋外の資材置き場などに多段に積み重ねて設置しておいても収容されたフレコンバックに錆や汚れが付着するようなことはない。
【００２２】
そして、受入工場において使用済みのフレコンバックがある程度の数溜まったならば、フレコンバックの洗浄やリサイクル処理を請け負うメンテナンス事業者が受入工場に出向いて収容容器１ごとフレコンバックを受け取り、収容容器１をトラックに積載して前記フレコンバックの洗浄処理場所やリサイクル処理場所に搬送することで、使用済みのフレコンバックを効率的に回収することが可能である。
収容容器１内で保管中に、フレコンバックに錆や汚れが付着し難いので、メンテナンス事業者におけるフレコンバックの洗浄やリサイクル処理も円滑且つ効率的に行うことが可能である。
【００２３】
なお、図示した収容容器の構成及びこれを構成する各部の構成は、本発明の実施形態の一例を示すものであり、本発明はこれに限定されず、他の適宜な形態で構成することが可能である。上述した実施の形態及び変形例の任意の組み合わせもまた本発明の実施の形態として有用である。また、本発明の収容容器は、前記篭形パレットなどの従来の容器の内周面に合成樹脂製の網状体を取り付けることによっても構成可能である。
【符号の説明】
【００２４】
１  収納容器、２  ボックスパレット、２１  パレット、２２，２３  側枠、２４  マット、３  網状体
【図１】
2013169982.tif 000003
【図２】
2013169982.tif 000004
【図３】
2013169982.tif 000005
【図４】
2013169982.tif 000006
【図５】
2013169982.tif 000007
【図６】
2013169982.tif 000008
【図７】
2013169982.tif 000009
【図８】
2013169982.tif 000010
【図９】
2013169982.tif 000011